(57)【要約】【課題】壁体に設けられた戸袋内に戸体が収納される片引き式の引込戸において、戸体をレールから簡単に取り外せるようにして、戸袋内の清掃を容易にする。【解決手段】本発明の引込戸１０は、戸体２０を収納する戸袋３０の入口縁部に位置する縦方向の開口枠材（縦枠）１２ｂに、一定の見付幅を有する縦長の化粧方立５０が開口面内に張り出して着脱自在に取り付けられ、この化粧方立５０を取り付けた状態では開口部の有効開口幅Ｗ１が戸体の最大幅Ｗ２よりも小さくなり、化粧方立５０を取り外すと開口部の有効開口幅Ｗ３が戸体の最大幅Ｗ２よりも大きくなって、戸体２０をレール１５から簡単に取り外せるように構成されたものである。【選択図】図３
2007056506.tif 000002
【特許請求の範囲】
【請求項１】
建物の壁体に設けられた開口部と、この開口部に隣接して壁体内に設けられた戸袋との間を、戸体がレールに沿って走行する引込戸において、
戸袋の入口縁部に位置する縦方向の開口枠材に、一定の見付幅を有する縦長の化粧方立が開口面内に張り出して着脱自在に取り付けられ、この化粧方立を取り付けた状態では開口部の有効開口幅が戸体の最大幅よりも小さくなり、化粧方立を取り外すと開口部の有効開口幅が戸体の最大幅よりも大きくなって、戸体をレールから取り外せるように構成された引込戸。
【請求項２】
戸袋の入口縁部に位置する縦方向の開口枠材に、一定幅で開口面内に突出する取付部が形成されるとともに、化粧方立の側縁部には一定幅の固定片が形成され、上記取付部と固定片とを重合させてビス止めすることにより、化粧方立が開口枠材に固定されることを特徴とする請求項１に記載の引込戸。
【請求項３】
取付部には、開口面外側から見て凹となる溝状部分が形成されて、この溝状部分にビス止めがなされるとともに、この溝状部分にカバー材が嵌装されるように形成されたことを特徴とする請求項２に記載の引込戸。
【請求項４】
取付部の溝状部分にカバー材を嵌装すると、化粧方立、取付部及びカバー材の見付面が略面一となるように形成されたことを特徴とする請求項３に記載の引込戸。
【発明の詳細な説明】
【技術分野】
【０００１】
本発明は、出入口等に設けられて、開放時には戸袋内に引込み収納される引込戸に関する。
【背景技術】
【０００２】
従来より、例えば建物の勝手口など比較的スペースの狭い場所に設けられる開口部用の建具として、片引き式の引込戸がよく利用されている。この種の引込戸は、建物の壁体と一体に設けた戸袋の内側に戸体をスライドさせて収納できるように構成されているので、開口幅を有効に利用することができ、開放時に戸体が邪魔にならないという利点がある。
【０００３】
しかし、上記のような引込戸においては、長期間使用するうちに、戸袋内の奥のほうに埃やゴミが溜まってしまうという問題が生じる。また、戸体に取り付けられた戸車を交換する必要が生じることもある。戸体をレールから取り外すことができれば、戸袋内の清掃や戸車のメンテナンスも可能にはなるが、片引き式の引込戸の場合、戸体の横幅が開口幅よりも大きく形成されるのが通常であるから、戸体を戸袋から完全に抜き出してレールから取り外すのは困難である。
【０００４】
このような不都合を解決しうる技術として、特許文献１には、戸袋に面する屋内側の壁体の一部を開き戸状に開閉させて、戸体を取り外せるようにした構造が開示されている。しかしながら、かかる構造においては、開口枠材、造作材、額縁材、気密材等の一部が開き戸状に開閉する壁体部分と一体的に構成されるので、多くの部材にまたがって構造的な納まりが複雑化する。また、それらの部材の上下周辺に配設される壁体や他の固定された類似部材との間に合わせ目が生じることになるので、意匠性も損なわれてしまうこととなる。
【特許文献１】特開平１０−２０５２２０号公報
【発明の開示】
【発明が解決しようとする課題】
【０００５】
本発明は上記のような問題に鑑みてなされたもので、壁体に設けられた戸袋を容易には開閉したり解体したりすることができない片引き式の引込戸において、戸体をレールから簡単に取り外せるようにして、戸袋内の清掃やメンテナンスを容易ならしめることを目的とする。
【０００６】
さらに、本発明は、戸体をレールから取り外し可能とするにあたり、意匠性に優れた簡素な着脱構造を提供するものとする。
【課題を解決するための手段】
【０００７】
上記課題を解決するため、本発明の引込戸は、建物の壁体に設けられた開口部と、この開口部に隣接して壁体内に設けられた戸袋との間を、戸体がレールに沿って走行する引込戸において、戸袋の入口縁部に位置する縦方向の開口枠材に、一定の見付幅を有する縦長の化粧方立が開口面内に張り出して着脱自在に取り付けられ、この化粧方立を取り付けた状態では開口部の有効開口幅が戸体の最大幅よりも小さくなり、化粧方立を取り外すと開口部の有効開口幅が戸体の最大幅よりも大きくなって、戸体をレールから取り外せるように構成されたものである。
【０００８】
この発明によれば、戸袋の入口縁部に位置するひとつの開口枠材に対して、ひとつの化粧方立を着脱するだけで開口部の有効幅を拡縮することができるので、開口部の周囲に取り付けられた他の枠材、造作材、額縁材、気密材等の納まりには影響が及ばず、部材の着脱構造がきわめて簡素になる。「戸袋の入口縁部に位置する縦方向の開口枠材」とは、開口部の前後両側の枠材である必要はなく、いずれか一方の側の枠材でよいが、この引込戸が屋外に面した開口部に設置される場合は、防犯上、屋内側の枠材に化粧方立を取り付けるようにするのが好ましい。
【０００９】
化粧方立の着脱構造としては、戸袋の入口縁部に位置する縦方向の開口枠材に、一定幅で開口面内に突出する取付部が形成されるとともに、化粧方立の側縁部には一定幅の固定片が形成され、上記取付部と固定片とを重合させてビス止めすることにより、化粧方立が開口枠材に固定されるような構成が好ましい。
【００１０】
また、上記取付部には、開口面外側から見て凹となる溝状部分が形成されて、この溝状部分にビス止めがなされるとともに、この溝状部分にカバー材が嵌装されるように形成されるのが好ましい。
【００１１】
さらに、取付部の溝状部分にカバー材を嵌装すると、化粧方立、取付部及びカバー材の見付面が略面一となるように形成されるのが好ましい。
【００１２】
このような着脱構造を採用すれば、部材同士の合わせ目も目立たなくなって、意匠性も良好に保持される。
【発明の効果】
【００１３】
上述のように構成される本発明の引込戸は、戸袋の入口縁部に位置する開口枠材に取り付けられた化粧方立を取り外すことによって開口部の有効開口幅を拡張し、戸体を開口部から簡単に取り出すことができるように構成されているので、戸袋内の清掃やメンテナンスが容易になる。
【００１４】
また、本発明において採用する化粧方立の着脱構造は、戸袋の入口縁部に位置するひとつの開口枠材と化粧方立との間に垂直方向の分割ラインが入るだけのものであるから、分割ラインの目立たない端正で美麗な外観意匠が得られる。
【発明を実施するための最良の形態】
【００１５】
以下、本発明の実施の形態について図を参照して説明する。
【００１６】
図１〜図６は本発明の実施形態に係る引込戸を示す。図１は引込戸の屋外側正面図、図２は引込戸の屋内側正面図であり、図３〜図５は引込戸の横断面図である。また、図６は本発明の要部の構造を示す分解斜視図である。
【００１７】
例示の引込戸１０は、建物の外壁に勝手口として設けられたものである。開口部の屋外側の四周には、屋外側の開口枠材として、戸先側の縦枠１１ａ、引込側の縦枠１１ｂ、上枠１１ｃ、及び下枠１１ｄが取り付けられている。一方、屋内側の四周には、屋内側の開口枠材として、戸先側の縦枠１２ａ、引込側の縦枠１２ｂ、上枠１２ｃ、及び下枠１２ｄが取り付けられ、さらに、その屋内側に額縁１４等が取り付けられている。戸体２０は、これらの枠材等の内側に建て込まれてレール１５に沿って走行し、開口部を開閉する。
【００１８】
戸体２０を収納する戸袋３０は、外壁材３１と内壁材３２とによって挟まれた壁体内に設けられている。戸袋３０の屋外側の内面及び屋内側の内面には、戸袋内張り材３３、３４がそれぞれ張設されている。
【００１９】
戸体２０はその四周に、上框２１、下框２２、戸先側の縦框２３及び引込側の縦框２４を備え、これらの框材の内側にガラス板等からなる面材２５が嵌め込まれている。戸先側の縦框２３には開閉操作用の取手２６も取り付けられている。
【００２０】
図３中に符号４０で示した部材は、戸体２０の屋内側に建て込まれる網戸である。この網戸４０は、網戸用レール１６に沿って戸体２０と平行に走行し、不使用時には戸袋３０内に収納される。なお、図２及び図４〜図６においては網戸４０の図示を省略している。
【００２１】
本発明の要部は、屋内側の開口枠材のうち戸袋３０の入口縁部に位置する縦方向の開口枠材、すなわち引込側の縦枠１２ｂに、化粧方立５０が着脱自在に取り付けられた点にある。化粧方立５０は、屋内側から見て一定の見付幅を有する縦長の部材で、縦枠１２ｂから開口面内に張り出すように取り付けられる。例示の化粧方立５０は、図４及び図６に示すように、屋内側から見たときの見付面を構成する平坦な前板部５１と、その背後に位置する背板部５２とが、戸先側の側部５３と引込側の側部５４とによって中空状に結合された断面形状を有している。戸先側の側部５３は背面側に延設されて、その先端に網戸４０との隙間を塞ぐモヘヤ５５が取り付けられている。また、引込側の側部５４からは、引込側に向かって一定幅の固定片５６が突設されている。
【００２２】
一方、引込側の縦枠１２ｂには、化粧方立５０を取り付けるための取付部６０が戸先側に向かって突設されている。取付部６０には、屋内側から見て凹となる溝状部分６１が設けられている。
【００２３】
取付部６０の溝状部分６１には、高さ方向にわたって適宜間隔で数個のビス挿通孔６２が形成されており、また、化粧方立５０の固定片５６には、上記ビス挿通孔６２と合致する位置にビス螺合孔５７がタッピングされている。そして、取付部６０の背面側に化粧方立５０の固定片５６を重合させた状態で、屋内側から螺合されるビス７１により、取付部６０と化粧方立５０とが結合される。
【００２４】
上記ビス止め作業を容易にするため、取付部６０における溝状部分６１の背面側には、幅の小さい位置決め用突片６３が戸先側に向かって突設されている。この位置決め用突片６３と溝状部分６１との間に固定片５６の先端が差し込まれることにより、固定片５６が溝状部分６１に対して確実に重合され、ビス止めの際にもずれたり離れたりしなくなる。
【００２５】
溝状部分６１には、ビス７１の頭を隠すためのカバー材８０が屋内側から取り付けられる。カバー材８０は、溝状部分６１の内側に嵌装される一対の嵌合片８１、８１と、平坦な帯板状の前面材８２とを有している。そして、カバー材８０が溝状部分６１に嵌装されると、その前面材８２、取付部６０の前縁、及び化粧方立５０の前板部５１が屋内側から見て略面一に揃うように形成されている。
【００２６】
こうして縦枠１２ｂに取り付けられた化粧方立５０は、必要に応じて、縦枠１２ｂから取り外すことができる。その手順は、図４及び図６に示したように、屋内側から（１）まずカバー材８０を取り外し、（２）ビス７１を抜いて、（３）化粧方立５０を戸先側にずらす、という簡単な作業で済む。
【００２７】
このような着脱自在の化粧方立５０により、開口部の屋内側に対する有効開口幅を拡縮させることができる。図３に示すように、化粧方立５０を縦枠１２ｂに取り付けた状態では、開口部の有効開口幅Ｗ１が戸体２０の最大幅Ｗ２よりも小さくなり、化粧方立５０を縦枠１２ｂから取り外すと、開口部の有効開口幅Ｗ３が戸体２０の最大幅Ｗ２よりも大きくなる、つまり、Ｗ１＜Ｗ２＜Ｗ３となるように、戸体２０の最大幅や化粧方立５０の見付幅が設定されている。
【００２８】
化粧方立５０を取り外して、開口部の有効開口幅Ｗ３が戸体２０の最大幅Ｗ２よりも大きくなった状態で、図５中に（４）〜（５）で示したように、戸体２０を有効開口幅Ｗ３の中央付近まで移動させて持ち上げるなどすれば、戸体２０をレール１５から取り外すことができる。これにより、戸袋３０の入口が完全に開放され、普段は手の届かない戸袋３０の奥のほうまで簡単に掃除することが可能になる。
【００２９】
このような着脱構造によれば、戸袋３０の入口縁部に位置するひとつの開口枠材（縦枠１２ｂ）と化粧方立５０との間に垂直方向の分割ラインが２本程度入るだけなので、屋内側からの外観は端正で美麗なものとなり、意匠性が良好に保持される。
【００３０】
なお、本発明の引込戸１０における化粧方立５０や引込側の縦框１２ｂ等の断面形状は、例示した実施形態に限定されるものではなく、本発明の趣旨を逸脱しない範囲で多少の変形は可能である。例えば、化粧方立５０の固定片５６を、屋内側から見て、取付部６０の前面側に重合させるような着脱構造を採用してもよい。また、上記実施形態には屋外に面して設けられる引込戸１０を例示し、防犯上の観点から化粧方立５０を屋内側に取り付けているが、本発明の引込戸１０は屋内の間仕切り壁等に設置することも勿論可能であり、その場合、化粧方立５０は開口面のいずれの側に取り付けてもよい。
【図面の簡単な説明】
【００３１】
【図１】本発明の実施形態に係る引込戸の屋外側正面図である。
【図２】上記引込戸の屋内側正面図である。
【図３】上記引込戸の横断面図であって、通常時の戸体を閉じたときの状態を示す。
【図４】上記引込戸の横断面図であって、化粧方立を取り外す際の状態を示す。
【図５】上記引込戸の横断面図であって、戸体を取り外すときの状態を示す。
【図６】上記引込戸における化粧方立の着脱構造を示す分解斜視図である。
【符号の説明】
【００３２】
１０  引込戸
１２ｂ  引込側の縦枠（開口枠材）
１５  レール
２０  戸体
３０  戸袋
５０  化粧方立
５６  固定片
６０  取付部
６１  溝状部分
７１  ビス
８０  カバー材
Ｗ１  有効開口幅
Ｗ２  戸体の最大幅
Ｗ３  有効開口幅
【図１】
2007056506.tif 000003
【図２】
2007056506.tif 000004
【図３】
2007056506.tif 000005
【図４】
2007056506.tif 000006
【図５】
2007056506.tif 000007
【図６】
2007056506.tif 000008